(57)【要約】【課題】吸着剤により空気を調湿する調湿装置において、冷媒回路（１）の熱交換器（３，５）に吸着剤を担持するとともに、冷媒の流れ方向を交互に切り換えながら吸着側または再生側の空気を室内に供給する方式を採用する場合に、冷媒の流れ方向を切り換える際の音の発生を抑え、装置の信頼性が低下するのも防止する。【解決手段】冷媒回路（１）における冷媒の流れ方向を切り換えるのに四路切換弁を使わずに複数の開閉弁（８１，８３，８５，８７）を用いる。【選択図】  図１
2004316965.tif 000002
【特許請求の範囲】
【請求項１】
空気に対して水分の吸着及び脱離を行う吸着剤と、圧縮機（７）と第１熱交換器（３）と膨張機構（１１）と第２熱交換器（５）とが接続されて冷媒が循環する冷媒回路（１）とを備え、少なくとも上記冷媒の温熱による吸着剤の加熱が可能な調湿装置であって、
上記吸着剤が第１熱交換器（３）及び第２熱交換器（５）の表面に担持され、
上記冷媒回路（１）には冷媒の循環方向を切り換える流路切換手段（９）が設けられ、
該流路切換手段（９）が複数の開閉弁（８１，８３，８５，８７）を組み合わせて構成されていることを特徴とする調湿装置。
【請求項２】
請求項１に記載の調湿装置において、
冷媒回路（１）には、圧縮機（７）の吐出管から分岐する吐出側第１分岐管（９１）及び吐出側第２分岐管（９３）と、圧縮機（７）の吸入管から分岐する吸入側第１分岐管（９５）及び吸入側第２分岐管（９７）とが設けられ、
吐出側第１分岐管（９１）と吸入側第１分岐管（９５）とが合流して第１熱交換器（３）のガス側端に接続されるとともに、吐出側第２分岐管（９３）と吸入側第２分岐管（９７）とが合流して第２熱交換器（５）のガス側端に接続され、
各分岐管（９１，９３，９５，９７）に上記開閉弁（８１，８３，８５，８７）が設けられていることを特徴とする調湿装置。
【請求項３】
請求項１または２に記載の調湿装置において、
複数の開閉弁（８１，８３，８５，８７）がそれぞれ電磁弁により構成されていることを特徴とする調湿装置。
【請求項４】
請求項１または２に記載の調湿装置において、
複数の開閉弁（８１，８３，８５，８７）がそれぞれ電動弁により構成されていることを特徴とする調湿装置。
【請求項５】
請求項１または２に記載の調湿装置において、
複数の開閉弁（８１，８３，８５，８７）の一部が電磁弁により構成され、他の一部が電動弁により構成されていることを特徴とする調湿装置。
【発明の詳細な説明】
【０００１】
【発明の属する技術分野】
本発明は、吸着剤を用いて室内の湿度調節を行う調湿装置に関し、特に、蒸気圧縮式冷凍サイクルの冷媒回路も備えた調湿装置に係るものである。
【０００２】
【従来の技術】
従来より、吸着剤を用いた調湿装置は、吸着剤による水分の吸着作用／脱離作用を利用して空気の除湿／加湿を行うように構成されている。この調湿装置は、吸着剤の水分吸着量が飽和域に達すると、水分を脱離して再生する必要がある。しかし、その際に吸着と再生を単に交互に行っていたのでは、除湿や再生を断続的にしか行えないことになる。
【０００３】
そこで、この種の調湿装置において、吸着剤を含む２つの吸着部材を用い、吸着側に用いるものと再生側に用いるものとを交互に切り換えて、常に吸着側の空気のみ、あるいは再生側の空気のみを室内に供給する方式が知られている（例えば、特許文献１参照）。この方式では、一方の吸着部材で吸着動作を行う間に他方で再生動作を行いながら、所定の時間が経過する毎に吸着側と再生側とを切り換えることにより、除湿運転または加湿運転が連続して行われる（例えば特許文献１参照）。
【０００４】
上記再生動作は、吸着動作と次の吸着動作の間に行われる。したがって、吸着動作を短時間で行うためには吸着部材を加熱する必要がある。このため、上記調湿装置では、蒸気圧縮式冷凍サイクルの冷媒回路を用いて、冷媒の温熱により吸着部材を加熱するようにしている。
【０００５】
【特許文献１】
特開２００３−０２８４５８号公報
【０００６】
【発明が解決しようとする課題】
上記調湿装置において、吸着剤を再生時に効率よく加熱するために、冷媒回路の凝縮器と吸着部材とを一体化することが考えられる。具体的には、凝縮器のフィンなどに吸着剤を担持するような構成である。この場合、２つの吸着部材を用いて吸着側と再生側を交互に切り換えるのと同じ動作を行うために、冷媒回路の２つの熱交換器には、いずれも吸着剤を担持したものを用いるとよい。こうすると、冷媒回路における冷媒の循環方向を切り換えながら、蒸発器となる熱交換器を吸着側に、凝縮器となる熱交換器を再生側に用いることにより、効率のよい運転が可能となる。
【０００７】
ところで、冷媒回路における冷媒の流れ方向を切り換えるのには、一般に四路切換弁が用いられている。しかし、上記調湿装置の運転時には、空調装置で冷暖房を切り換えたり、冷凍装置で逆サイクルのデフロスト運転を行ったりする際と比較すると、四路切換弁の切り換え頻度がはるかに多くなる（例えば数分ごとに切り換えが必要となることもある）。また、一般に、四路切換弁の切り換え時には冷媒が高圧側から低圧側へ流れるのに伴って比較的大きな音が発生するが、切り換え頻度が多くなると音の発生頻度も多くなり、運転騒音が大きな問題になるおそれがある。
【０００８】
さらに、四路切換弁は一般に上記のような高頻度の切り換えを想定した設計がされていないため、そのような使い方をすると、切り換え回数の増加に伴って可動部のシール性が低下し、ひいては装置の信頼性が低下するおそれもある。
【０００９】
本発明は、このような問題点に鑑みて創案されたものであり、その目的は、吸着剤により空気を調湿する調湿装置において、冷媒回路の熱交換器に吸着剤を担持し、冷媒の流れ方向を交互に切り換えながら吸着側または再生側の空気を室内に供給する方式を採用する場合に、冷媒の流れ方向を切り換える際の音の問題を回避するとともに、装置の信頼性が低下するのも防止することである。
【００１０】
【課題を解決するための手段】
本発明は、冷媒回路（１）に四路切換弁を用いずに複数の開閉弁（８１，８３，８５，８７）を用い、該開閉弁（８１，８３，８５，８７）により冷媒の流れ方向を切り換えるようにしたものである。
【００１１】
具体的に、請求項１に記載の発明は、空気に対して水分の吸着及び脱離を行う吸着剤と、圧縮機（７）と第１熱交換器（３）と膨張機構（１１）と第２熱交換器（５）とが接続されて冷媒が循環する冷媒回路（１）とを備え、少なくとも上記冷媒の温熱による吸着剤の加熱が可能な調湿装置を前提としている。
【００１２】
そして、この調湿装置は、上記吸着剤が第１熱交換器（３）及び第２熱交換器（５）の表面に担持され、上記冷媒回路（１）には冷媒の循環方向を切り換える流路切換手段（９）が設けられ、該流路切換手段（９）が複数の開閉弁（８１，８３，８５，８７）を組み合わせて構成されていることを特徴としている。
【００１３】
この請求項１の発明では、冷媒回路（１）の第１熱交換器（３）と第２熱交換器（５）のうち、蒸発器となる熱交換器の吸着剤で空気中の水分を吸着し、凝縮器となる熱交換器では空気に水分を放出して吸着剤を再生することができる。このため、吸着側の空気を室内に供給すると除湿運転を行うことができ、再生側の空気を室内に供給すると加湿運転を行うことができる。また、除湿運転時と加湿運転時のいずれの場合も、複数の開閉弁（８１，８３，８５，８７）からなる切り換え手段により冷媒の循環方向を切り換えながら吸着側もしくは再生側の空気を室内に供給することで、除湿や加湿の連続運転を行える。
【００１４】
ここで、冷媒の流れ方向を四路切換弁で切り換える場合は、冷媒配管の高圧側と低圧側が反転する際に冷媒が瞬間的に高圧側から低圧側へ流れるために大きな音が発生するが、本発明では開閉弁（８１，８３，８５，８７）を用いて冷媒配管の「開」と「閉」とを切り換えるだけであるため、該開閉弁（８１，８３，８５，８７）を切り換える際に高圧側から低圧側への冷媒の瞬間的な流れは起こらない。このため、大きな音も発生しない。
【００１５】
請求項２に記載の発明は、請求項１に記載の調湿装置において、冷媒回路（１）には、圧縮機（７）の吐出管から分岐する吐出側第１分岐管（９１）及び吐出側第２分岐管（９３）と、圧縮機（７）の吸入管から分岐する吸入側第１分岐管（９５）及び吸入側第２分岐管（９７）とが設けられ、吐出側第１分岐管（９１）と吸入側第１分岐管（９５）とが合流して第１熱交換器（３）のガス側端に接続されるとともに、吐出側第２分岐管（９３）と吸入側第２分岐管（９７）とが合流して第２熱交換器（５）のガス側端に接続され、各分岐管（９１，９３，９５，９７）に上記開閉弁（８１，８３，８５，８７）が設けられていることを特徴としている。
【００１６】
この請求項２の発明では、各開閉弁（８１，８３，８５，８７）を操作して、吐出側第１分岐管（９１）と吸入側第２分岐管（９７）とを開き、吐出側第２分岐管（９３）と吸入側第１分岐管（９５）とを閉じる状態にすると、第１熱交換器（３）が凝縮器となり、第２熱交換器（５）が蒸発器となる。また、吐出側第２分岐管（９３）と吸入側第１分岐管（９５）とを開き、吐出側第１分岐管（９１）と吸入側第２分岐管（９７）とを閉じる状態にすると、第２熱交換器（５）が凝縮器となり、第１熱交換器（３）が蒸発器となる。そして、蒸発器となる熱交換器を通過した空気を室内に供給すると除湿運転を行うことができ、凝縮器となる熱交換器を通過した空気を室内に供給すると加湿運転を行うことができる。
【００１７】
請求項３に記載の発明は、請求項１または２に記載の調湿装置において、複数の開閉弁（８１，８３，８５，８７）がそれぞれ電磁弁により構成されていることを特徴としている。
【００１８】
また、請求項４に記載の発明は、請求項１または２に記載の調湿装置において、複数の開閉弁（８１，８３，８５，８７）がそれぞれ電動弁により構成されていることを特徴としている。
【００１９】
さらに、請求項５に記載の発明は、請求項１または２に記載の調湿装置において、複数の開閉弁（８１，８３，８５，８７）の一部が電磁弁により構成され、他の一部が電動弁により構成されていることを特徴としている。
【００２０】
請求項３〜５の発明では、電磁弁や電動弁の開閉状態を操作するだけで、冷媒回路（１）における冷媒の流れ方向を簡単に切り換えることができる。
【００２１】
【発明の実施の形態】
以下、本発明の実施形態を図面に基づいて詳細に説明する。
【００２２】
図１〜図５に示すように、本実施形態の調湿装置は、室内空気の除湿と加湿とを行うものであり、中空直方体状で箱形のケーシング（１７）を備えている。そして、上記ケーシング（１７）には、冷媒回路（１）等が収納されている。
【００２３】
上記冷媒回路（１）は、図１に示すように、圧縮機（７）と、冷媒の循環方向を切り換える流路切換手段（９）と、第１熱交換器（３）と、膨張機構である膨張弁（１１）と、第２熱交換器（５）とが順に接続されて、閉回路に形成されている。この冷媒回路（１）は、冷媒が充填され、該冷媒が循環して蒸気圧縮式の冷凍サイクルを行うように構成されている。
【００２４】
流路切換手段（９）には、４つの電磁弁（開閉弁）（８１，８３，８５，８７）を組み合わせて構成されたブリッジ回路（８９）が採用されている。具体的には、冷媒回路（１）のガス管に、圧縮機（７）の吐出管から分岐する吐出側第１分岐管（９１）及び吐出側第２分岐管（９３）と、圧縮機（７）の吸入管から分岐する吸入側第１分岐管（９５）及び吸入側第２分岐管（９７）とが設けられ、吐出側第１分岐管（９１）と吸入側第１分岐管（９５）とが合流して第１熱交換器（３）のガス側端に接続されるとともに、吐出側第２分岐管（９３）と吸入側第２分岐管（９７）とが合流して第２熱交換器（５）のガス側端に接続されている。そして、各分岐管（９１，９３，９５，９７）にひとつずつ、開閉弁である電磁弁（８１，８３，８５，８７）が設けられている。
【００２５】
上記第１熱交換器（３）のガス側端は、上述したように吐出側第１分岐管（９１）と吸入側第１分岐管（９５）との合流点に接続されている。この第１熱交換器（３）の液側端は、膨張弁（１１）を介して第２熱交換器（５）の液側端に接続されている。また、第２熱交換器（５）のガス側端は、上述したように吐出側第２分岐管（９３）と吸入側第２分岐管（９７）との合流点に接続されている。
【００２６】
図２に示すように、第１熱交換器（３）及び第２熱交換器（５）は、それぞれクロスフィン式のフィン・アンド・チューブ型熱交換器により構成されている。具体的に、第１熱交換器（３）及び第２熱交換器（５）は、長方形板状に形成されたアルミニウム製の多数のフィン（１３）と、このフィン（１３）を貫通する銅製の伝熱管（１５）とを備えている。
【００２７】
両熱交換器（３，５）とも、上記各フィン（１３）及び伝熱管（１５）の外表面には、水分の吸着及び脱離を行う吸着剤がディップ成形（浸漬成形）により担持されている。吸着剤としては、ゼオライト、シリカゲル、活性炭、親水性又は吸水性を有する有機高分子ポリマー系材料、カルボン酸基又はスルホン酸基を有するイオン交換樹脂系材料、感温性高分子等の機能性高分子材料などを用いることができる。
【００２８】
尚、上記第１熱交換器（３）及び第２熱交換器（５）は、クロスフィン式のフィン・アンド・チューブ型熱交換器により構成されているが、他の形式の熱交換器、例えば、コルゲートフィン式の熱交換器等で構成してもよい。
【００２９】
また、本実施形態では、各フィン（１３）及び伝熱管（１５）の外表面に吸着剤をディップ成形により担持しているが、吸着剤としての性能を損なわない限りは、別の方法でその外表面に吸着剤を担持してもよい。
【００３０】
上記流路切換手段（９）は、各電磁弁（８１，８３，８５，８７）を操作することにより、吐出側第１分岐管（９１）と吸入側第２分岐管（９７）が開くと同時に、吐出側第２分岐管（９３）と吸入側第１分岐管（９５）が閉じる状態（図１（ａ）参照）と、吐出側第２分岐管（９３）と吸入側第１分岐管（９５）が開くと同時に、吐出側第１分岐管（９１）と吸入側第２分岐管（９７）が閉じる状態（図１（ｂ）参照）とに切り換え自在に構成されている。そして、この流路切換手段（９）を切り換えることにより、第１熱交換器（３）が凝縮器として機能すると同時に第２熱交換器（５）が蒸発器として機能する図１（ａ）の第１動作と、第２熱交換器（５）が凝縮器として機能すると同時に第１熱交換器（３）が蒸発器として機能する図１（ｂ）の第２動作との切り換えが行われる。これにより、蒸発器となる熱交換器において水分の吸着動作が行われる一方、凝縮器となる熱交換器においては、冷媒の温熱により吸着剤が加熱されて再生されることになる。
【００３１】
次に、図３〜図５に基づいて、ケーシング（１７）の内部構造について説明する。図３は調湿装置を平面的に見た機器配置図、図４は図３のＡ−Ａ線断面図、図５は図３のＢ−Ｂ線断面図である。尚、上記ケーシング（１７）は、図３において、下端をケーシング（１７）の正面とし、上端をケーシング（１７）の背面とし、左端をケーシング（１７）の左側面とし、右端をケーシング（１７）の右側面とする。また、上記ケーシング（１７）は、図４及び図５において、上端がケーシング（１７）の上面であり、下端がケーシング（１７）の下面である。
【００３２】
上記ケーシング（１７）は、平面視正方形で、扁平な箱形に形成されている。上記ケーシング（１７）の左側面板（１７ａ）には、室外空気（ＯＡ）を取り入れる第１吸込口（１９）と、リターン空気である室内空気（ＲＡ）を取り入れる第２吸込口（２１）とが形成されている。一方、上記ケーシング（１７）の右側面板（１７ｂ）には、排出空気（ＥＡ）を室外に排出する第１吹出口（２３）と、調湿空気（ＳＡ）を室内に供給する第２吹出口（２５）とが形成されている。
【００３３】
上記ケーシング（１７）の内部には、仕切部材である仕切板（２７）が設けられ、該仕切板（２７）によって上記ケーシング（１７）の内部には、空気室（２９ａ）と機器室（２９ｂ）とが形成されている。上記仕切板（２７）は、面方向がケーシング（１７）の厚さ方向である垂直方向に一致するように設けられ、図４及び図５において、上端であるケーシング（１７）の上面板（１７ｅ）から下端であるケーシング（１７）の下面板（１７ｆ）に亘って設けられている。更に、上記仕切板（２７）は、図３において、下端であるケーシング（１７）の正面板（１７ｃ）から上端であるケーシング（１７）の背面板（１７ｄ）に亘って設けられている。また、上記仕切板（２７）は、図３において、ケーシング（１７）の中央部よりやや右側に配置されている。
【００３４】
上記機器室（２９ｂ）には、熱交換器（３，５）を除く冷媒回路（１）の構成機器（圧縮機（７）など）が配置されると共に、第１ファン（７９）と第２ファン（７７）とが収納されている。そして、上記第１ファン（７９）は、第１吹出口（２３）に接続され、第２ファン（７７）は、第２吹出口（２５）に接続されている。
【００３５】
上記ケーシング（１７）の空気室（２９ａ）には、仕切部材である第１端面板（３３）と、仕切部材である第２端面板（３１）と、仕切部材である中央の区画板（６７）とが設けられている。上記第１端面板（３３）と第２端面板（３１）と区画板（６７）とは、面方向がケーシング（１７）の厚さ方向である垂直方向に一致するように設けられ、図４及び図５に示すように、ケーシング（１７）の上面板（１７ｅ）から下面板（１７ｆ）に亘って設けられている。
【００３６】
上記第１端面板（３３）と第２端面板（３１）とは、図３に示すように、ケーシング（１７）の左側面板（１７ａ）から仕切板（２７）に亘って設けられている。上記第１端面板（３３）は、図３において、ケーシング（１７）の中央部よりやや上側に配置され、上記第２端面板（３１）は、図３において、ケーシング（１７）の中央部よりやや下側に配置されている。また、上記区画板（６７）は、図３に示すように、第１端面板（３３）と第２端面板（３１）とに亘って設けられている。
【００３７】
そして、上記ケーシング（１７）の内部には、第１端面板（３３）と第２端面板（３１）と区画板（６７）と仕切板（２７）とによって第１熱交換室（６９）が区画形成されている。また、上記ケーシング（１７）の内部には、第１端面板（３３）と第２端面板（３１）と区画板（６７）とケーシング（１７）の左側面板（１７ａ）とによって第２熱交換室（７３）が区画形成されている。つまり、上記第１熱交換室（６９）と第２熱交換室（７３）とは、互いに隣接して形成され、図３において、上記第１熱交換室（６９）が右側に位置し、上記第２熱交換室（７３）が左側に位置している。
【００３８】
上記第１熱交換室（６９）には、第１熱交換器（３）が配置され、上記第２熱交換室（７３）には、第２熱交換器（５）が配置されている。各熱交換器（３，５）は、図示していないが、ケーシング（１７）の高さ方向の中央部に水平に配置されている。
【００３９】
上記第１端面板（３３）とケーシング（１７）の背面板（１７ｄ）との間には、仕切部材である水平板（６１）が設けられて第１流入路（６３）と第１流出路（６５）とが形成されている。また、上記第２端面板（３１）とケーシング（１７）の正面板（１７ｃ）との間には、仕切部材である水平板（５５）が設けられて第２流入路（５７）と第２流出路（５９）とが形成されている。
【００４０】
上記水平板（６１，５５）は、ケーシング（１７）の内部空間を該ケーシング（１７）の厚さ方向である垂直上下方向に仕切っている。そして、図４において、第１流入路（６３）が上面側に、第１流出路（６５）が下面側に形成され、図５において、第２流入路（５７）が上面側に、第２流出路（５９）が下面側に形成されている。上記第１流入路（６３）及び第１流出路（６５）と第２流入路（５７）及び第２流出路（５９）とは、図３において、第１熱交換室（６９）及び第２熱交換室（７３）を横断する中央線を基準として面対称に配置されている。
【００４１】
上記第１流入路（６３）は、第１吸込口（１９）に連通し、上記第１流出路（６５）は、第１ファン（７９）から第１吹出口（２３）に連通している。また、上記第２流入路（５７）は、第２吸込口（２１）に連通し、上記第２流出路（５９）は、第２ファン（７７）から第２吹出口（２５）に連通している。
【００４２】
上記第１端面板（３３）には、図４に示すように、４つの開口（３３ａ〜３３ｄ）が形成されている。各開口（３３ａ〜３３ｄ）には、第１ダンパ（４７）、第２ダンパ（４９）、第３ダンパ（５１）及び第４ダンパ（５３）が設けられている。上記４つの開口（３３ａ〜３３ｄ）は、上下左右に２つずつ升目状に配置されている。そして、第１の開口（３３ａ）と第３の開口（３３ｃ）とが第１熱交換室（６９）に開口し、第２の開口（３３ｂ）と第４の開口（３３ｄ）とが第２熱交換室（７３）に開口している。
【００４３】
上記第１の開口（３３ａ）は、第１流入路（６３）と第１熱交換室（６９）とを連通させ、上記第３の開口（３３ｃ）は、第１流出路（６５）と第１熱交換室（６９）とを連通させている。また、上記第２の開口（３３ｂ）は、第１流入路（６３）と第２熱交換室（７３）とを連通させ、上記第４の開口（３３ｄ）は、第１流出路（６５）と第２熱交換室（７３）とを連通させている。
【００４４】
上記第２端面板（３１）には、図５に示すように、４つの開口（３１ａ〜３１ｄ）が形成されている。各開口（３１ａ〜３１ｄ）には、第５ダンパ（３５）、第６ダンパ（３７）、第７ダンパ（３９）及び第８ダンパ（４１）が設けられている。上記４つの開口（３１ａ〜３１ｄ）は、上下左右に２つずつ升目状に配置されている。そして、第５の開口（３１ａ）と第７の開口（３１ｃ）とが第１熱交換室（６９）に開口し、第６の開口（３１ｂ）と第８の開口（３１ｄ）とが第２熱交換室（７３）に開口している。
【００４５】
上記第５の開口（３１ａ）は、第２流入路（５７）と第１熱交換室（６９）とを連通させ、上記第７の開口（３１ｃ）は、第２流出路（５９）と第１熱交換室（６９）とを連通させている。また、上記第６の開口（３１ｂ）は、第２流入路（５７）と第２熱交換室（７３）とを連通させ、上記第８の開口（３１ｄ）は、第２流出路（５９）と第２熱交換室（７３）とを連通させている。
【００４６】
上記調湿装置では、除湿運転と加湿運転とを切り換えて行うことが可能である。除湿運転時は、冷媒回路（１）の冷媒循環方向及びダンパ（４７〜５３，３５〜４１）による空気流通状態を切り換えながら、冷媒が蒸発する第１熱交換器（３）又は第２熱交換器（５）を流れる空気の水分を吸着剤で吸着すると同時に、冷媒が凝縮する第２熱交換器（５）又は第１熱交換器（３）を流れる空気に水分を放出させて吸着剤を再生し、上記吸着剤で除湿された空気を室内に供給する。
【００４７】
一方、加湿運転時は、冷媒回路（１）の冷媒循環方向及びダンパ（４７〜５３，３５〜４１）による空気流通状態を切り換えながら、冷媒が蒸発する第１熱交換器（３）又は第２熱交換器（５）を流れる空気の水分を吸着剤で吸着すると同時に、冷媒が凝縮する第２熱交換器（５）又は第１熱交換器（３）を流れる空気に水分を放出させて吸着剤を再生し、上記吸着剤で加湿された空気を室内に供給する。
【００４８】
〈運転動作〉
次に、上述した調湿装置の運転動作について説明する。この調湿装置は、室外空気と室内空気とを取り込み、除湿運転と加湿運転とを切り換えて行う。また、上記調湿装置は、後述する第１動作と第２動作とを交互に繰り返して２つの熱交換器（３，５）を吸着側と再生側に切り換えることにより、除湿運転及び加湿運転を連続的に行う。さらに、上記調湿装置は、全換気モードの除湿運転及び加湿運転と、循環モードの除湿運転及び加湿運転とを行う。
【００４９】
−全換気モードの除湿運転−
全換気モードの除湿運転は、室外空気（ＯＡ）を第１空気として取り込んで室内に供給する一方、室内空気（ＲＡ）を第２空気として取り込んで室外に排出する運転である。
【００５０】
《第１動作》
図１（ａ）及び図６に示す第１動作では、第２熱交換器（５）での吸着動作と、第１熱交換器（３）での再生（脱離）動作とが行われる。つまり、第１動作では、第２熱交換器（５）に室外空気（ＯＡ）中の水分が吸着され、第１熱交換器（３）から脱離した水分が室内空気（ＲＡ）に付与される。
【００５１】
この第１動作時には、第２ダンパ（４９）と第３ダンパ（５１）と第８ダンパ（４１）と第５ダンパ（３５）とが開き、第１ダンパ（４７）と第４ダンパ（５３）と第６ダンパ（３７）と第７ダンパ（３９）とが閉じる。そして、第１熱交換器（３）に室内空気（ＲＡ）を供給し、第２熱交換器（５）に室外空気（ＯＡ）を供給する。
【００５２】
また、流路切換手段（９）は、図１（ａ）において、吐出側第１分岐管（９１）と吸入側第２分岐管（９７）とが開き、吐出側第２分岐管（９３）と吸入側第１分岐管（９５）とが閉じる状態に切り換えられる。その結果、冷媒回路（１）の第１熱交換器（３）が凝縮器として機能し、第２熱交換器（５）が蒸発器として機能する。
【００５３】
この状態で、圧縮機（７）から吐出された高温高圧の冷媒は、加熱用の熱媒体として第１熱交換器（３）に流れる。この第１熱交換器（３）において、フィン（１３）及び伝熱管（１５）の外表面に担持された吸着剤が冷媒の温熱によって加熱される。この加熱によって吸着剤から水分が脱離して、該吸着剤が再生される。
【００５４】
一方、上記第１熱交換器（３）で凝縮した冷媒は、膨張弁（１１）で減圧される。減圧後の冷媒は、冷却用の熱媒体として第２熱交換器（５）に流れる。この第２熱交換器（５）において、冷媒は室外空気（ＯＡ）から吸熱するとともに、フィン（１３）及び伝熱管（１５）の外表面に担持された吸着剤が水分を吸着する際に発生する吸着熱も吸熱して蒸発する。そして、蒸発した冷媒は、圧縮機（７）に戻る。冷媒は、以上を１サイクルとして冷媒回路（１）内を繰り返し循環する。
【００５５】
また、第１ファン（７９）及び第２ファン（７７）の駆動により、第２吸込口（２１）より流入した室内空気（ＲＡ）は、第２流入路（５７）を流れ、第５の開口（３１ａ）から第１熱交換室（６９）に流れる。この第１熱交換室（６９）において、室内空気（ＲＡ）は、第１熱交換器（３）の吸着剤より水分が放出されて加湿される。この加湿された室内空気（ＲＡ）は、排出空気（ＥＡ）となり、第１熱交換室（６９）から第３の開口（３３ｃ）を経て第１流出路（６５）を流れ、第１ファン（７９）を経て第１吹出口（２３）より室外に排出される。
【００５６】
一方、第１吸込口（１９）より流入した室外空気（ＯＡ）は、第１流入路（６３）を流れ、第２の開口（３３ｂ）から第２熱交換室（７３）に流れる。この第２熱交換室（７３）において、室外空気（ＯＡ）は、水分が第２熱交換器（５）の吸着剤に吸着されて除湿される。この除湿された室外空気（ＯＡ）は、調湿空気（ＳＡ）となり、第２熱交換室（７３）から第８の開口（３１ｄ）を経て第２流出路（５９）を流れ、第２ファン（７７）を経て第２吹出口（２５）より室内に供給される。
【００５７】
この第１動作を行った後、第２動作を行う。
【００５８】
《第２動作》
図１（ｂ）及び図７に示す第２動作では、第１熱交換器（３）での吸着動作と、第２熱交換器（５）での再生動作とが行われる。つまり、第２動作では、第１熱交換器（３）に室外空気（ＯＡ）中の水分が吸着され、第２熱交換器（５）から脱離した水分が室内空気（ＲＡ）に付与される。
【００５９】
この第２動作時には、第１ダンパ（４７）と第４ダンパ（５３）と第７ダンパ（３９）と第６ダンパ（３７）とが開き、第３ダンパ（５１）と第２ダンパ（４９）と第５ダンパ（３５）と第８ダンパ（４１）とが閉じる。そして、第１熱交換器（３）に室外空気（ＯＡ）を供給し、第２熱交換器（５）に室内空気（ＲＡ）を供給する。
【００６０】
また、流路切換手段（９）は、図１（ｂ）において、吐出側第２分岐管（９３）と吸入側第１分岐管（９５）とが開き、吐出側第１分岐管（９１）と吸入側第２分岐管（９７）とが閉じる状態に切り換えられる。その結果、冷媒回路（１）では、第２熱交換器（５）が凝縮器として機能し、第１熱交換器（３）が蒸発器として機能する。
【００６１】
この状態で、圧縮機（７）から吐出された高温高圧の冷媒は、加熱用の熱媒体として第２熱交換器（５）に流れる。この第２熱交換器（５）において、フィン（１３）及び伝熱管（１５）の外表面に担持された吸着剤が冷媒の温熱によって加熱される。この加熱によって吸着剤から水分が脱離して吸着剤が再生される。
【００６２】
一方、上記第２熱交換器（５）で凝縮した冷媒は、膨張弁（１１）で減圧される。減圧後の冷媒は、冷却用の熱媒体として第１熱交換器（３）に流れる。この第１熱交換器（３）において、冷媒は室外空気（ＯＡ）から吸熱するとともに、フィン（１３）及び伝熱管（１５）の外表面に担持された吸着剤が水分を吸着する際に発生する吸着熱も吸熱して蒸発する。そして、蒸発した冷媒は、圧縮機（７）に戻る。冷媒は、以上を１サイクルとして冷媒回路（１）内を繰り返し循環する。
【００６３】
また、第１ファン（７９）及び第２ファン（７７）の駆動により、第２吸込口（２１）より流入した室内空気（ＲＡ）は、第２流入路（５７）を流れ、第６の開口（３１ｂ）から第２熱交換室（７３）に流れる。この第２熱交換室（７３）において、室内空気（ＲＡ）は、第２熱交換器（５）の吸着剤より水分が放出されて加湿される。この加湿された室内空気（ＲＡ）は、排出空気（ＥＡ）となり、第２熱交換室（７３）から第４の開口（３３ｄ）を経て第１流出路（６５）を流れ、第１ファン（７９）を経て第１吹出口（２３）より室外に排出される。
【００６４】
一方、第１吸込口（１９）より流入した室外空気（ＯＡ）は、第１流入路（６３）を流れ、第１の開口（３３ａ）から第１熱交換室（６９）に流れる。この第１熱交換室（６９）において、室外空気（ＯＡ）は、水分が第１熱交換器（３）の吸着剤に吸着されて除湿される。この除湿された室外空気（ＯＡ）は、調湿空気（ＳＡ）となり、第１熱交換室（６９）から第７の開口（３１ｃ）を経て第２流出路（５９）を流れ、第２ファン（７７）を経て第２吹出口（２５）より室内に供給される。
【００６５】
この第２動作を行った後、再び第１動作を行う。そして、この第１動作と第２動作とを繰り返して室内の除湿を連続的に行う。
【００６６】
−全換気モードの加湿運転−
全換気モードの加湿運転は、室内空気（ＲＡ）を第１空気として取り込んで室外に排出する一方、室外空気（ＯＡ）を第２空気として取り込んで室内に供給する運転である。
【００６７】
《第１動作》
図１（ａ）及び図８に示す第１動作では、第２熱交換器（５）での吸着動作と、第１熱交換器（３）での再生動作とが行われる。つまり、第１動作では、第２熱交換器（５）に室内空気（ＲＡ）中の水分が吸着され、第１熱交換器（３）から脱離した水分が室外空気（ＯＡ）に付与される。
【００６８】
この第１動作時には、第１ダンパ（４７）と第４ダンパ（５３）と第７ダンパ（３９）と第６ダンパ（３７）とが開き、第３ダンパ（５１）と第２ダンパ（４９）と第５ダンパ（３５）と第８ダンパ（４１）とが閉じる。そして、第１熱交換器（３）に室外空気（ＯＡ）を供給し、第２熱交換器（５）に室内空気（ＲＡ）を供給する。
【００６９】
また、流路切換手段（９）は、図１（ａ）に示す状態に切り換えられる。その結果、冷媒回路（１）の第１熱交換器（３）が凝縮器として機能し、第２熱交換器（５）が蒸発器として機能する。
【００７０】
この状態で、圧縮機（７）から吐出された高温高圧の冷媒は、加熱用の熱媒体として第１熱交換器（３）に流れる。この第１熱交換器（３）において、フィン（１３）及び伝熱管（１５）の外表面に担持された吸着剤が冷媒の温熱によって加熱される。この加熱によって吸着剤から水分が脱離して、該吸着剤が再生される。
【００７１】
一方、上記第１熱交換器（３）で凝縮した冷媒は、膨張弁（１１）で減圧される。減圧後の冷媒は、冷却用の熱媒体として第２熱交換器（５）に流れる。この第２熱交換器（５）において、冷媒は室内空気（ＲＡ）から吸熱するとともに、フィン（１３）及び伝熱管（１５）の外表面に担持された吸着剤が水分を吸着する際に発生する吸着熱も吸熱して蒸発する。そして、蒸発した冷媒は、圧縮機（７）に戻る。冷媒は、以上を１サイクルとして冷媒回路（１）内を繰り返し循環する。
【００７２】
また、第１ファン（７９）及び第２ファン（７７）の駆動により、第２吸込口（２１）より流入した室内空気（ＲＡ）は、第２流入路（５７）を流れ、第６の開口（３１ｂ）から第２熱交換室（７３）に流れる。この第２熱交換室（７３）において、室内空気（ＲＡ）は、水分が第２熱交換器（５）の吸着剤に吸着されて除湿される。この除湿された室内空気（ＲＡ）は、排出空気（ＥＡ）となり、第２熱交換室（７３）から第４の開口（３３ｄ）を経て第１流出路（６５）を流れ、第１ファン（７９）を経て第１吹出口（２３）より室外に排出される。
【００７３】
一方、第１吸込口（１９）より流入した室外空気（ＯＡ）は、第１流入路（６３）を流れ、第１の開口（３３ａ）から第１熱交換室（６９）に流れる。この第１熱交換室（６９）において、第１熱交換器（３）の吸着剤より脱離した水分が放出されて室外空気（ＯＡ）が加湿される。この加湿された室外空気（ＯＡ）は、調湿空気（ＳＡ）となり、第１熱交換室（６９）から第７の開口（３１ｃ）を経て第２流出路（５９）を流れ、第２ファン（７７）を経て第２吹出口（２５）より室内に供給される。
【００７４】
この第１動作を行った後、第２動作を行う。
【００７５】
《第２動作》
図１（ｂ）及び図９に示す第２動作では、第１熱交換器（３）での吸着動作と、第２熱交換器（５）での再生動作とが行われる。つまり、第２動作では、第１熱交換器（３）に室内空気（ＲＡ）中の水分が吸着され、第２熱交換器（５）から脱離した水分が室外空気（ＯＡ）に付与される。
【００７６】
この第２動作時には、第２ダンパ（４９）と第３ダンパ（５１）と第８ダンパ（４１）と第５ダンパ（３５）とが開き、第４ダンパ（５３）と第１ダンパ（４７）と第６ダンパ（３７）と第７ダンパ（３９）とが閉じる。そして、第１熱交換器（３）に室内空気（ＲＡ）を供給し、第２熱交換器（５）に室外空気（ＯＡ）を供給する。
【００７７】
また、流路切換手段（９）は、図１（ｂ）に示す状態に切り換えられる。その結果、冷媒回路（１）では、第２熱交換器（５）が凝縮器として機能し、第１熱交換器（３）が蒸発器として機能する。
【００７８】
この状態で、圧縮機（７）から吐出された高温高圧の冷媒は、加熱用の熱媒体として第２熱交換器（５）に流れる。この第２熱交換器（５）において、フィン（１３）及び伝熱管（１５）の外表面に担持された吸着剤が冷媒の温熱によって加熱される。この加熱によって吸着剤から水分が脱離して吸着剤が再生される。
【００７９】
一方、上記第２熱交換器（５）で凝縮した冷媒は、膨張弁（１１）で減圧される。減圧後の冷媒は、冷却用の熱媒体として第１熱交換器（３）に流れる。この第１熱交換器（３）において、冷媒は室内空気（ＲＡ）から吸熱するとともに、フィン（１３）及び伝熱管（１５）の外表面に担持された吸着剤が水分を吸着する際に発生する吸着熱も吸熱して蒸発するそして、蒸発した冷媒は、圧縮機（７）に戻る。冷媒は、以上を１サイクルとして冷媒回路（１）内を繰り返し循環する。
【００８０】
また、第１ファン（７９）及び第２ファン（７７）の駆動により、第２吸込口（２１）より流入した室内空気（ＲＡ）は、第２流入路（５７）を流れ、第５の開口（３１ａ）から第１熱交換室（６９）に流れる。この第１熱交換室（６９）において、室内空気（ＲＡ）は、水分が第１熱交換器（３）の吸着剤に吸着されて除湿される。この除湿された室内空気（ＲＡ）は、排出空気（ＥＡ）となり、第１熱交換室（６９）から第３の開口（３３ｃ）を経て第１流出路（６５）を流れ、第１ファン（７９）を経て第１吹出口（２３）より室外に排出される。
【００８１】
一方、第１吸込口（１９）より流入した室外空気（ＯＡ）は、第１流入路（６３）を流れ、第２の開口（３３ｂ）から第２熱交換室（７３）に流れる。この第２熱交換室（７３）において、第２熱交換器（５）の吸着剤より脱離した水分が放出されて室外空気（ＯＡ）が加湿される。この加湿された室外空気（ＯＡ）は、調湿空気（ＳＡ）となり、第２熱交換室（７３）から第８の開口（３１ｄ）を経て第２流出路（５９）を流れ、第２ファン（７７）を経て第２吹出口（２５）より室内に供給される。
【００８２】
この第２動作を行った後、再び第１動作を行う。そして、この第１動作と第２動作とを繰り返して室内の加湿を連続的に行う。
【００８３】
−循環モードの除湿運転−
循環モードの除湿運転は、室内空気（ＲＡ）を第１空気として取り込んで室内に供給する一方、室外空気（ＯＡ）を第２空気として取り込んで室外に排出する運転である。尚、冷媒回路の冷媒循環は、全換気モードと同じであるので、説明を省略する。
【００８４】
《第１動作》
第１動作では、第２熱交換器（５）での吸着動作と、第１熱交換器（３）での再生（脱離）動作とが行われる。つまり、第１動作では、第２熱交換器（５）に室内空気（ＲＡ）中の水分が吸着され、第１熱交換器（３）から脱離した水分が室外空気（ＯＡ）に付与される。
【００８５】
この第１動作時には、第１ダンパ（４７）と第３ダンパ（５１）と第６ダンパ（３７）と第８ダンパ（４１）とが開き、第２ダンパ（４９）と第４ダンパ（５３）と第５ダンパ（３５）と第７ダンパ（３９）とが閉じる。そして、第１熱交換器（３）に室外空気（ＯＡ）を供給し、第２熱交換器（５）に室内空気（ＲＡ）を供給する。
【００８６】
第１吸込口（１９）より流入した室外空気（ＯＡ）は、第１流入路（６３）を流れ、第１の開口（３３ａ）から第１熱交換室（６９）に流れる。この第１熱交換室（６９）において、室外空気（ＯＡ）は、第１熱交換器（３）の吸着剤より脱離した水分が放出されて加湿される。この加湿された室外空気（ＯＡ）は、排出空気（ＥＡ）となり、第１熱交換室（６９）から第３の開口（３３ｃ）を経て第１流出路（６５）を流れ、第１ファン（７９）を経て第１吹出口（２３）より室外に排出される。
【００８７】
一方、第２吸込口（２１）より流入した室内空気（ＲＡ）は、第２流入路（５７）を流れ、第６の開口（３１ｂ）から第２熱交換室（７３）に流れる。この第２熱交換室（７３）において、室内空気（ＲＡ）は、水分が第２熱交換器（５）の吸着剤に吸着されて除湿される。この除湿された室内空気（ＲＡ）は、調湿空気（ＳＡ）となり、第２熱交換室（７３）から第８の開口（３１ｄ）を経て第２流出路（５９）を流れ、第２ファン（７７）を経て第２吹出口（２５）より室内に供給される。
【００８８】
この第１動作を行った後、第２動作を行う。
【００８９】
《第２動作》
第２動作では、第１熱交換器（３）での吸着動作と、第２熱交換器（５）での再生動作とが行われる。つまり、第２動作では、第１熱交換器（３）に室内空気（ＲＡ）中の水分が吸着され、第２熱交換器（５）から脱離した水分が室外空気（ＯＡ）に付与される。
【００９０】
この第２動作時には、第２ダンパ（４９）と第４ダンパ（５３）と第５ダンパ（３５）と第７ダンパ（３９）とが開き、第１ダンパ（４７）と第３ダンパ（５１）と第６ダンパ（３７）と第８ダンパ（４１）とが閉じる。そして、第１熱交換器（３）に室内空気（ＲＡ）を供給し、第２熱交換器（５）に室外空気（ＯＡ）を供給する。
【００９１】
第１吸込口（１９）より流入した室外空気（ＯＡ）は、第１流入路（６３）を流れ、第２の開口（３３ｂ）から第２熱交換室（７３）に流れる。この第２熱交換室（７３）において、室外空気（ＯＡ）は、第２熱交換器（５）の吸着剤より脱離した水分が放出されて加湿される。この加湿された室外空気（ＯＡ）は、排出空気（ＥＡ）となり、第２熱交換室（７３）から第４の開口（３３ｄ）を経て第１流出路（６５）を流れ、第１ファン（７９）を経て第１吹出口（２３）より室外に排出される。
【００９２】
一方、第２吸込口（２１）より流入した室内空気（ＲＡ）は、第２流入路（５７）を流れ、第５の開口（３１ａ）から第１熱交換室（６９）に流れる。この第１熱交換室（６９）において、室内空気（ＲＡ）は、水分が第１熱交換器（３）の吸着剤に吸着されて除湿される。この除湿された室内空気（ＲＡ）は、調湿空気（ＳＡ）となり、第１熱交換室（６９）から第７の開口（３１ｃ）を経て第２流出路（５９）を流れ、第２ファン（７７）を経て第２吹出口（２５）より室内に供給される。
【００９３】
この第２動作を行った後、再び第１動作を行う。そして、この第１動作と第２動作とを繰り返して室内の除湿を連続的に行う。
【００９４】
−循環モードの加湿運転−
循環モードの加湿運転は、室外空気（ＯＡ）を第１空気として取り込んで室外に排出し、室内空気（ＲＡ）を第２空気として取り込んで室内に供給する運転である。尚、冷媒回路の冷媒循環は、全換気モードと同じであるので、説明を省略する。
【００９５】
《第１動作》
第１動作では、第２熱交換器（５）での吸着動作と、第１熱交換器（３）での再生動作とが行われる。つまり、第１動作では、第２熱交換器（５）に室外空気（ＯＡ）中の水分が吸着され、第１熱交換器（３）から脱離した水分が室内空気（ＲＡ）に付与される。
【００９６】
この第１動作時には、第２ダンパ（４９）と第４ダンパ（５３）と第５ダンパ（３５）と第７ダンパ（３９）とが開き、第１ダンパ（４７）と第３ダンパ（５１）と第６ダンパ（３７）と第８ダンパ（４１）とが閉じる。そして、第１熱交換器（３）に室内空気（ＲＡ）を供給し、第２熱交換器（５）に室外空気（ＯＡ）を供給する。
【００９７】
第２吸込口（２１）より流入した室内空気（ＲＡ）は、第２流入路（５７）を流れ、第５の開口（３１ａ）から第１熱交換室（６９）に流れる。この第１熱交換室（６９）において、室内空気（ＲＡ）は、第１熱交換器（３）の吸着剤より脱離した水分が放出されて加湿される。この加湿された室内空気（ＲＡ）は、第１熱交換室（６９）から第７の開口（３１ｃ）を経て第２流出路（５９）を流れ、第２ファン（７７）を経て第２吹出口（２５）より室内に供給される。
【００９８】
一方、第１吸込口（１９）より流入した室外空気（ＯＡ）は、第１流入路（６３）を流れ、第２の開口（３３ｂ）から第２熱交換室（７３）に流れる。この第２熱交換室（７３）において、室外空気（ＯＡ）は、水分が第２熱交換器（５）の吸着剤に吸着されて除湿される。この除湿された室外空気（ＯＡ）は、排出空気（ＥＡ）となり、第２熱交換室（７３）から第４の開口（３３ｄ）を経て第１流出路（６５）を流れ、第１ファン（７９）を経て第１吹出口（２３）より室外に排出される。
【００９９】
この第１動作を行った後、第２動作を行う。
【０１００】
《第２動作》
第２動作では、第１熱交換器（３）での吸着動作と、第２熱交換器（５）での再生動作とが行われる。つまり、第２動作では、第１熱交換器（３）に室外空気（ＯＡ）中の水分が吸着され、第２熱交換器（５）から脱離した水分が室内空気（ＲＡ）に付与される。
【０１０１】
この第２動作時には、第１ダンパ（４７）と第３ダンパ（５１）と第６ダンパ（３７）と第８ダンパ（４１）とが開き、第２ダンパ（４９）と第４ダンパ（５３）と第５ダンパ（３５）と第７ダンパ（３９）とが閉じる。そして、第２熱交換器（５）に室内空気（ＲＡ）を供給し、第１熱交換器（３）に室外空気（ＯＡ）を供給する。
【０１０２】
第２吸込口（２１）より流入した室内空気（ＲＡ）は、第２流入路（５７）を流れ、第６の開口（３１ｂ）から第２熱交換室（７３）に流れる。この第２熱交換室（７３）において、室内空気（ＲＡ）は、第２熱交換器（５）の吸着剤より脱離した水分が放出されて加湿される。この加湿された室内空気（ＲＡ）は、調湿空気（ＳＡ）となり、第２熱交換室（７３）から第８の開口（３１ｄ）を経て第２流出路（５９）を流れ、第２ファン（７７）を経て第２吹出口（２５）より室内に供給される。
【０１０３】
一方、第１吸込口（１９）より流入した室外空気（ＯＡ）は、第１流入路（６３）を流れ、第１の開口（３３ａ）から第１熱交換室（６９）に流れる。この第１熱交換室（６９）において、室外空気（ＯＡ）は、水分が第２熱交換器（５）の吸着剤に吸着されて除湿される。この除湿された室外空気（ＯＡ）は、排出空気（ＥＡ）となり、第１熱交換室（６９）から第３の開口（３３ｃ）を経て第１流出路（６５）を流れ、第１ファン（７９）を経て第１吹出口（２３）より室外に排出される。
【０１０４】
この第２動作を行った後、再び第１動作を行う。そして、この第１動作と第２動作とを繰り返して室内の加湿を連続的に行う。
【０１０５】
〈実施形態の効果〉
上記実施形態によれば、第１熱交換器（３）及び第２熱交換器（５）の伝熱管（１５）の外表面及びフィン（１３）の外表面に吸着剤を担持するとともに、冷媒の流れ方向を交互に切り換えながら吸着側または再生側の空気を室内に供給する方式の調湿装置において、冷媒回路の冷媒流れ方向を複数の電磁弁（８１，８３，８５，８７）で切り換えるようにしている。そして、冷媒の流れ方向を切り換えるのに四路切換弁を用いると、冷媒が高圧側から低圧側へ瞬間的に流れることにより大きな音が発生するのに対して、この実施形態では四路切換弁を用いていないため、冷媒が高圧側から低圧側へ瞬間的に流れる動作が起こらず、それに伴う音の発生も防止できる。このため、切り換え頻度が多くなった場合でも冷媒の音が問題になることはない。
【０１０６】
また、上記実施形態によれば、冷媒回路に吐出側第１分岐管（９１）及び吐出側第２分岐管（９３）と吸入側第１分岐管（９５）及び吸入側第２分岐管（９７）とからなるブリッジ回路（８９）を設け、各分岐管に電磁弁（８１，８３，８５，８７）を設けているため、各電磁弁（８１，８３，８５，８７）の開閉状態を操作するだけで、冷媒による音の発生を抑えながら流れ方向を簡単に切り換えることができる。
【０１０７】
さらに、電磁弁（８１，８３，８５，８７）を用いると、切換え頻度が多くなっても可動部のシール性が低下するのも抑えることが可能になるので、四路切換弁を用いる場合と比較して装置の信頼性も高められる。
【０１０８】
また、熱交換器に吸着剤を担持したことにより、冷媒で吸着剤を直接的に冷却又は加熱することができる。この結果、上記吸着剤の吸着能力や脱離能力を最大限に発揮させることができるので、効率の向上を図ることができると共に、装置全体のコンパクト化を図ることもできる。
【０１０９】
【発明のその他の実施の形態】
上記実施形態においては、第１熱交換器（３）及び第２熱交換器（５）のフィン（１３）の外表面及び伝熱管（１５）の外表面に吸着剤が担持されているが、フィン（１３）の外表面及び伝熱管（１５）の外表面の少なくとも一方に吸着剤が担持されていればよい。
【０１１０】
また、上記実施形態で説明した調湿装置の具体的な構造は一例に過ぎず、ケーシング（１７）内における空気通路の構成や機器の配置などは適宜変更してもよい。
【０１１１】
さらに、上記実施形態では、冷媒の流れ方向を切り換える流路切換手段（９）として複数の電磁弁（８１，８３，８５，８７）を用いているが、電磁弁の変わりに電動弁を用いてもよい。また、流路切換手段（９）を構成する複数の開閉弁は、すべてを電磁弁にしたり、すべてを電動弁にしたりするほか、複数の開閉弁の一部を電磁弁にし、他の一部を電動弁にしてもよい。
【０１１２】
そして、複数の開閉弁のそれぞれに電磁弁を用いた場合は、電動弁を用いる場合と比較してコストを抑えることができる一方、複数の開閉弁のそれぞれに電動弁を用いると、電磁弁を用いる場合と比較して音の低減効果を高めることが可能となる。また、複数の開閉弁の一部を電磁弁にし、他の一部を電動弁にすると、コストと性能のバランスをとることが可能となる。
【０１１３】
【発明の効果】
請求項１に記載の発明によれば、吸着剤により空気を調湿する調湿装置において、冷媒回路（１）の熱交換器（３，５）に吸着剤を担持し、冷媒の流れ方向を交互に切り換えながら吸着側または再生側の空気を室内に供給する方式を採用した場合に、冷媒回路（１）の冷媒流れを複数の開閉弁（８１，８３，８５，８７）で切り換えるようにしている。したがって、四路切換弁を用いる場合と違い、冷媒が高圧側から低圧側へ瞬間的に流れる動作が起こらず、それに伴う音の発生も防止できる。このため、切り換え頻度が多くなった場合でも冷媒の音が問題になることはない。
【０１１４】
また、四路切換弁の耐久性が一般に低いのに対して、電磁弁や電動弁などの開閉弁（８１，８３，８５，８７）を用いると、切換え頻度が多くなっても可動部のシール性が低下するのも抑えられるので、四路切換弁を用いる場合と比較して装置の信頼性も高められる。
【０１１５】
さらに、熱交換器に吸着剤を担持することにより、冷媒の温熱で吸着剤を直接加熱できるため、効率のよい運転も可能となる。
【０１１６】
請求項２に記載の発明によれば、冷媒回路（１）に吐出側第１分岐管（９１）及び吐出側第２分岐管（９３）と吸入側第１分岐管（９５）及び吸入側第２分岐管（９７）とからなるブリッジ回路を設け、各分岐管（９１，９３，９５，９７）に開閉弁（８１，８３，８５，８７）を設けている。したがって、各開閉弁（８１，８３，８５，８７）の開閉状態を操作するだけで、冷媒音の発生を抑えながら流れ方向を簡単に切り換えることができる。
【０１１７】
請求項３に記載の発明では、流路切換手段（９）を構成する開閉弁（８１，８３，８５，８７）に電磁弁を用いており、請求項４に記載の発明では、該開閉弁（８１，８３，８５，８７）に電動弁を用いている。また、請求項５の発明では、電磁弁と電動弁とを組み合わせて流路切換手段（９）を構成している。そして、請求３の発明のように電磁弁を用いると、電動弁を用いる場合よりコストを抑えることができ、請求項４の発明のように電動弁を用いると、電磁弁を用いる場合と比較して音の低減効果をさらに高めることができる。また、請求項５の発明のように電磁弁と電動弁とを組み合わせて用いると、コストと性能のバランスをとることが可能となる。
【図面の簡単な説明】
【図１】本発明の実施形態に係る調湿装置の冷媒回路図である。
【図２】本発明の実施形態に係る熱交換器の斜視図である。
【図３】調湿装置を平面から見た機器配置図である。
【図４】図３のＡ−Ａ線におけるケーシングの端面図である。
【図５】図３のＢ−Ｂ線におけるケーシングの端面図である。
【図６】図３において除湿の第１動作を示す運転状態図である。
【図７】図３において除湿の第２動作を示す運転状態図である。
【図８】図３において加湿の第１動作を示す運転状態図である。
【図９】図３において加湿の第２動作を示す運転状態図である。
【符号の説明】
（１）      冷媒回路
（３）      第１熱交換器
（５）      第２熱交換器
（７）      圧縮機
（９）      流路切換手段
（１１）  膨張機構
（８１）  電磁弁（開閉弁）
（８３）  電磁弁（開閉弁）
（８５）  電磁弁（開閉弁）
（８７）  電磁弁（開閉弁）
（８９）  ブリッジ回路
（９１）  吐出側第１分岐管
（９３）  吐出側第２分岐管
（９５）  吸入側第１分岐管
（９７）  吸入側第２分岐管
【図１】
2004316965.tif 000003
【図２】
2004316965.tif 000004
【図３】
2004316965.tif 000005
【図４】
2004316965.tif 000006
【図５】
2004316965.tif 000007
【図６】
2004316965.tif 000008
【図７】
2004316965.tif 000009
【図８】
2004316965.tif 000010
【図９】
2004316965.tif 000011